(57)【要約】【課題】保守点検の作業効率を向上させることができる通行管理装置を得る。【解決手段】出入口を開閉する戸をロックするロック位置と戸に対するロックが解除される解除位置との間で変位する電気錠１、出入口を通行する通行者を特定するＩＤ情報が入力されるカードリーダ３と、カードリーダ３に入力されたＩＤ情報に基づいて、電気錠１を変位させるＩＤコントローラ４とを備えた通行管理装置であって、保守点検を行う際に用いられる携帯型端末装置５と、操作する作業者が電気錠１を目視確認することができる領域に位置する携帯型端末装置５とＩＤコントローラ４との間の通信を可能にする通信装置６とをさらに備え、電気錠１は、携帯型端末装置５からＩＤコントローラ４に動作指令が送信されることにより変位する。【選択図】図１
2012207479.tif 000002
【特許請求の範囲】
【請求項１】
出入口を開閉する戸をロックするロック位置と前記戸に対するロックが解除される解除位置との間で変位する電気錠と、
前記出入口を通行する通行者を特定する通行者情報が入力される通行者情報入力装置と、
前記通行者情報入力装置に入力された前記通行者情報に基づいて、前記電気錠を変位させる電気錠制御装置とを備えた通行管理装置であって、
保守点検を行う際に用いられる携帯型端末装置と、
操作する作業者が前記電気錠を目視確認することができる領域に位置する前記携帯型端末装置と前記電気錠制御装置との間の通信を可能にする通信装置とをさらに備え、
前記電気錠は、前記携帯型端末装置から前記電気錠制御装置に動作指令が送信されることにより変位することを特徴とする通行管理装置。
【請求項２】
前記出入口の開閉を検出し、検出結果を前記電気錠制御装置に送信する出入口開閉検出装置をさらに備え、
前記携帯型端末装置は、報知部を有し、前記電気錠制御装置から前記検出結果を受信して、前記報知部が前記検出結果を報知することを特徴とする請求項１に記載の通行管理装置。
【請求項３】
前記通信装置は、前記携帯型端末装置に接続されるＬＡＮソケットを有していることを特徴とする請求項１または請求項２に記載の通行管理装置。
【請求項４】
前記通信装置は、前記携帯型端末装置との間で無線による送受信を行う無線送受信部を有していることを特徴とする請求項１ないし請求項３の何れか１項に記載の通行管理装置。
【請求項５】
出入口を開閉する戸をロックするロック位置と前記戸に対するロックが解除される解除位置との間で変位する電気錠と、前記出入口を通行する通行者を特定する通行者情報が入力される通行者情報入力装置と、前記通行者情報入力装置に入力された前記通行者情報に基づいて、前記電気錠を変位させる電気錠制御装置と、保守点検を行う際に用いられる携帯型端末装置と、操作する作業者が前記電気錠を目視確認することができる領域に位置する前記携帯型端末装置と前記電気錠制御装置との間の通信を可能にする通信装置とを備えた通行管理装置の保守点検方法であって、
前記携帯型端末装置が前記電気錠制御装置に動作指令を送信することにより、前記電気錠が変位する電気錠変位工程を備えたことを特徴とする通行管理装置の保守点検方法。
【発明の詳細な説明】
【技術分野】
【０００１】
この発明は、出入口を通行する通行者を管理する通行管理装置および通行管理装置の保守点検方法に関する。
【背景技術】
【０００２】
従来、出入口を開閉する戸をロックする電気錠と、出入口を通行する通行者が所持するＩＤカードから通行者を特定するＩＤ情報を読み込むカードリーダと、カードリーダが読み込んだＩＤ情報に基づいて、電気錠を制御するＩＤコントローラと、ＩＤコントローラとの間で通信を行うホストコンピュータとを備えた通行管理装置が知られている。電気錠、カードリーダおよびＩＤコントローラは、複数の部屋のそれぞれに設けられている。ホストコンピュータは、管理室に設けられており、各ＩＤコントローラとの間で通信を行う。通行管理装置の保守点検を行う作業者は、ホストコンピュータを操作することにより、電気錠を動作させて、電気錠の動作確認を行う（例えば、特許文献１参照）。
【先行技術文献】
【特許文献】
【０００３】
【特許文献１】特開平１１−３５３５１０号公報
【発明の概要】
【発明が解決しようとする課題】
【０００４】
しかしながら、電気錠の動作確認を行うためには、ホストコンピュータを操作する作業者と、電気錠の動作を目視確認する作業者とが必要となり、保守点検の作業効率が悪いという問題点があった。
【０００５】
この発明は、保守点検の作業効率を向上させることができる通行管理装置および通行管理装置の保守点検方法を提供するものである。
【課題を解決するための手段】
【０００６】
この発明に係る通行管理装置は、出入口を開閉する戸をロックするロック位置と前記戸に対するロックが解除される解除位置との間で変位する電気錠と、前記出入口を通行する通行者を特定する通行者情報が入力される通行者情報入力装置と、前記通行者情報入力装置に入力された前記通行者情報に基づいて、前記電気錠を変位させる電気錠制御装置とを備えた通行管理装置であって、保守点検を行う際に用いられる携帯型端末装置と、操作する作業者が前記電気錠を目視確認することができる領域に位置する前記携帯型端末装置と前記電気錠制御装置との間の通信を可能にする通信装置とをさらに備え、前記電気錠は、前記携帯型端末装置から前記電気錠制御装置に動作指令が送信されることにより変位する。
【０００７】
この発明に係る通行管理装置の保守点検方法は、出入口を開閉する戸をロックするロック位置と前記戸に対するロックが解除される解除位置との間で変位する電気錠と、前記出入口を通行する通行者を特定する通行者情報が入力される通行者情報入力装置と、前記通行者情報入力装置に入力された前記通行者情報に基づいて、前記電気錠を変位させる電気錠制御装置と、保守点検を行う際に用いられる携帯型端末装置と、操作する作業者が前記電気錠を目視確認することができる領域に位置する前記携帯型端末装置と前記電気錠制御装置との間の通信を可能にする通信装置とを備えた通行管理装置の保守点検方法であって、前記携帯型端末装置が前記電気錠制御装置に動作指令を送信することにより、前記電気錠が変位する電気錠変位工程を備えている。
【発明の効果】
【０００８】
この発明に係る通行管理装置によれば、保守点検を行う際に用いられる携帯型端末装置と、操作する作業者が電気錠を目視確認することができる領域に位置する携帯型端末装置と電気錠制御装置との間の通信を可能にする通信装置とを備え、電気錠は、携帯型端末装置から電気錠制御装置に動作指令が送信されることにより変位するので、作業者は、作業者が電気錠を目視確認することができる領域に位置する携帯型端末装置を操作して、電気錠を変位させることができる。これにより、携帯型端末装置を操作して電気錠を変位させる作業者が、電気錠の変位を目視確認することができる。その結果、保守点検の作業効率を向上させることができる。
【０００９】
この発明に係る通行管理装置の保守点検方法によれば、操作する作業者が電気錠を目視確認することができる領域に位置する携帯型端末装置が、電気錠を変位させる電気錠制御装置に動作指令を送信することにより、電気錠が変位する電気錠変位工程を備えているので、作業者は、作業者が電気錠を目視確認することができる領域に位置する携帯型端末装置を操作して、電気錠を変位させることができる。これにより、携帯型端末装置を操作して電気錠を変位させる作業者が、電気錠の変位を目視確認することができる。その結果、保守点検の作業効率を向上させることができる。
【図面の簡単な説明】
【００１０】
【図１】この発明の実施の形態１に係る通行管理装置を示すブロック図である。
【図２】図１のカードリーダおよび通信装置を示す正面図である。
【図３】図２のＩＩＩ−ＩＩＩ線に沿った矢視断面図である。
【発明を実施するための形態】
【００１１】
実施の形態１．
図１はこの発明の実施の形態１に係る通行管理装置を示すブロック図である。通行管理装置は、複数の部屋を有する建物（図示せず）に設けられている。各部屋には、出入口（図示せず）が形成されており、各出入口には、出入口を開閉する戸（図示せず）が設けられている。図に示すように、通行管理装置は、各戸に設けられた電気錠１と、出入口の開閉を検出する出入口開閉検出装置２と、各戸に設けられたカードリーダ（通行者情報入力装置）３と、電気錠１、出入口開閉検出装置２およびカードリーダ３に接続されたＩＤコントローラ（電気錠制御装置）４とを備えている。また、通行管理装置は、保守点検の際に用いられる携帯型端末装置５と、ＩＤコントローラ４に接続された通信装置６と、ＩＤコントローラ４に接続されたホストコンピュータ７とを備えている。
【００１２】
戸は、出入口が閉じられる閉位置と、出入口が開く開位置との間で変位する。電気錠１は、戸が閉位置にある場合に戸をロックするロック位置と、戸に対するロックが解除される解除位置との間で変位する。
【００１３】
出入口開閉検出装置２は、戸の位置が閉位置であるか開位置であるかを検出する。出入口開閉検出装置２は、出入口開閉検出装置２の検出結果をＩＤコントローラ４に送信するようになっている。
【００１４】
カードリーダ３は、出入口を通行する通行者のＩＤカードから通行者を特定するＩＤ情報（通行者情報）が入力される。カードリーダ３は、入力されたＩＤ情報をＩＤコントローラ４に送信するようになっている。
【００１５】
ＩＤコントローラ４は、各部屋に設けられている。ＩＤコントローラ４には、入室が許可されている通行者を特定するＩＤ情報が予め登録されている。ＩＤコントローラ４は、カードリーダ３から受信したＩＤ情報に基づいて、電気錠１を変位させる。つまり、ＩＤコントローラ４は、受信したＩＤ情報と登録されているＩＤ情報とが一致する場合には、電気錠１の位置がロック位置から解除位置となるように電気錠１を変位させ、受信したＩＤ情報と登録されたＩＤ情報とが不一致の場合には、電気錠１の位置をロック位置のままにする。
【００１６】
携帯型端末装置５は、ノート型パソコンから構成されており、保守点検の作業者によって携帯される。携帯型端末装置５は、作業者により操作される操作部（図示せず）と、画像を表示して作業者に報知するための表示部（報知部）（図示せず）とを有している。
【００１７】
また、携帯型端末装置５は、通信装置６に接続可能となっている。携帯型端末装置５は、携帯型端末装置５が通信装置６に接続されることにより、ＩＤコントローラ４との間の通信が可能となる。携帯型端末装置５とＩＤコントローラ４との間の通信は、専用のソフトウエアにより行われる。したがって、専用のソフトウエアが搭載されていない携帯型端末装置５は、通信装置６に接続されても、ＩＤコントローラ４との間での通信が不可能である。
【００１８】
携帯型端末装置５は、携帯型端末装置５がＩＤコントローラ４との間の通信が可能である場合に、出入口開閉検出装置２の検出結果と、電気錠１の位置がロック位置であるか解除位置であるかを示す位置情報とをＩＤコントローラ４から受信するようになっている。また、携帯型端末装置５は、携帯型端末装置５がＩＤコントローラ４との間の通信が可能である場合に、作業者に操作されることにより動作指令をＩＤコントローラ４に送信して、電気錠１の位置が解除位置またはロック位置となるように電気錠１を変位させることができるようになっている。携帯型端末装置５がＩＤコントローラ４に送信する動作指令としては、電気錠１の位置をロック位置から解除位置に変位させる指令と、電気錠１の位置を解除位置からロック位置に変位させる指令とがある。
【００１９】
ホストコンピュータ７は、管理室に設けられている。ホストコンピュータ７は、出入口開閉検出装置２の検出結果および電気錠１の位置情報をＩＤコントローラ４から受信するようになっている。また、ホストコンピュータ７は、作業者に操作されることにより動作指令をＩＤコントローラ４に送信して、電気錠１の位置が解除位置またはロック位置となるように電気錠１を変位させることができるようになっている。ホストコンピュータ７がＩＤコントローラ４に送信する動作指令としては、電気錠１の位置をロック位置から解除位置に変位させる指令と、電気錠１の位置を解除位置からロック位置に変位させる指令とがある。
【００２０】
図２は図１のカードリーダ３および通信装置６を示す正面図、図３は図２のＩＩＩ−ＩＩＩ線に沿った矢視断面図である。図において、カードリーダ３は、カードリーダ本体３１と、カードリーダ本体３１に設けられたカードリーダカバー３２とを有している。
【００２１】
通信装置６は、カードリーダ本体３１に取り付けられたＬＡＮソケット６１と、ＬＡＮソケット６１とＩＤコントローラ４とを繋ぐＬＡＮケーブル（図示せず）とを有している。携帯型端末装置５がＬＡＮソケット６１に接続されることにより、携帯型端末装置５とＩＤコントローラ４との間の通信が可能となる。ＬＡＮソケット６１に接続された携帯型端末装置５を操作する作業者は、電気錠１を目視確認することができる。つまり、ＬＡＮソケット６１に接続された携帯型端末装置５は、携帯型端末装置５を操作する作業者が電気錠１を目視確認することができる領域に位置する。
【００２２】
ＬＡＮソケット６１は、カードリーダ本体３１にカードリーダカバー３２が取り付けられている状態では、カードリーダカバー３２に覆われる。これにより、部外者によってＬＡＮソケット６１に携帯型端末装置５が接続されることを防止することができる。また、ＬＡＮソケット６１は、カードリーダ本体３１からカードリーダカバー３２が取り外された状態では露出する。
【００２３】
次に、保守点検の作業の手順について説明する。まず、カードリーダ本体３１からカードリーダカバー３２を取り外す。その後、露出したＬＡＮソケット６１に携帯型端末装置５を接続する。これにより、携帯型端末装置５とＩＤコントローラ４との間の通信が可能となる。
【００２４】
携帯型端末装置５とＩＤコントローラ４との間の通信が可能となることにより、ＩＤコントローラ４から携帯型端末装置５に、出入口開閉検出装置２の検出結果および電気錠１の位置情報が送信される。携帯型端末装置５の表示部には、戸の位置が閉位置であるか開位置であるかについての情報と、電気錠１の位置がロック位置であるか解除位置であるかについての情報が表示される。これにより、出入口の開閉状態および電気錠１の施開錠状態を作業者に報知することができる。
【００２５】
その後、作業者は、携帯型端末装置５を操作して、携帯型端末装置５からＩＤコントローラ４へ動作指令を送信する。これにより、電気錠１の位置が解除位置またはロック位置となるように電気錠１が変位する（電気錠変位工程）。このとき、作業者は、電気錠１の変位を目視確認する。電気錠１が正常に変位することが目視確認できた場合には、作業者は、ＬＡＮソケット６１から携帯型端末装置５を取り外し、さらに、カードリーダ本体３１にカードリーダカバー３２を取り付ける。以上により、携帯型端末装置５を用いた電気錠１の保守点検が終了する。
【００２６】
以上説明したように、この発明の実施の形態１に係る通行管理装置によれば、保守点検を行う際に用いられる携帯型端末装置５と、操作する作業者が電気錠１を目視確認することができる領域に位置する携帯型端末装置５とＩＤコントローラ４との間の通信を可能にする通信装置６とを備え、電気錠１は、携帯型端末装置５からＩＤコントローラ４に動作指令が送信されることにより変位するので、作業者は、作業者が電気錠１を目視確認することができる領域に位置する携帯型端末装置５を操作して、電気錠１を変位させることができる。これにより、携帯型端末装置５を操作して電気錠１を変位させる作業者が、電気錠１の変位を目視確認することができる。その結果、保守点検の作業効率を向上させることができる。
【００２７】
また、通行管理装置は、出入口の開閉を検出して検出結果をＩＤコントローラ４に送信する出入口開閉検出装置２を備え、携帯型端末装置５は、表示部を有し、ＩＤコントローラ４から出入口開閉検出装置２の検出結果を受信して、表示部が検出結果を表示するので、保守点検を行う作業者は、携帯型端末装置５を操作して電気錠１を変位させる前に、出入口の開閉状態を確認することができる。これにより、出入口が開いた状態で、携帯型端末装置５を操作して電気錠１を変位させてしまうことを防止することができる。
【００２８】
また、通信装置６は、携帯型端末装置５に接続されるＬＡＮソケット６１を有しているので、保守点検を行う作業者は、携帯型端末装置５をＬＡＮソケット６１に接続することにより、携帯型端末装置５とＩＤコントローラ４との間の通信を容易に行うことができる。
【００２９】
また、この発明の実施の形態１に係る通行管理装置の保守点検方法によれば、操作する作業者が電気錠１を目視確認することができる領域に位置する携帯型端末装置５が、電気錠１を変位させるＩＤコントローラ４に動作指令を送信することにより、電気錠１が変位する電気錠変位工程を備えているので、作業者は、作業者が電気錠１を目視確認することができる領域に位置する携帯型端末装置５を操作して、電気錠１を変位させることができる。これにより、携帯型端末装置５を操作して電気錠１を変位させる作業者が、電気錠１の変位を目視確認することができる。その結果、保守点検の作業効率を向上させることができる。
【００３０】
なお、上記実施の形態１では、出入口開閉検出装置２を備えた通行管理装置の構成について説明したが、出入口開閉検出装置２を備えない通行管理装置の構成であってもよい。
【００３１】
また、上記実施の形態１では、出入口を通行する通行者の通行者情報が入力される通行者情報入力装置として、カードリーダ３を例に説明したが、例えば、出入口を通行する通行者の指紋情報が通行者の指から入力される指紋情報入力装置であってもよい。
【００３２】
また、上記実施の形態１では、携帯型端末装置５に接続されるＬＡＮソケット６１を有した通信装置６の構成について説明したが、携帯型端末装置５との間で無線により送受信を行う無線送受信部を有した通信装置６であってもよい。この場合、携帯型端末装置５は、操作する作業者が電気錠１を目視確認することができる領域に携帯型端末装置５が位置する場合に、携帯型端末装置５と無線送受信部との間の無線による送受信が行われて、携帯型端末装置５とＩＤコントローラ４との間の通信が可能となる。また、ＬＡＮソケット６１および無線送受信部の両方を有した通信装置６であってもよい。
【００３３】
また、上記実施の形態１では、通信装置６がカードリーダ３に設けられる構成について説明したが、これに限らず、操作する作業者が電気錠１を目視確認することができる領域に携帯型端末装置５が位置する場合に携帯型端末装置５とＩＤコントローラ４との間の通信を可能にすることができる位置であれば、戸や壁などに通信装置６が設けられる構成であってもよい。特に、通信装置６が室内の壁や戸に設けられる場合には、室外にいる部外者によって通信装置６に携帯型端末装置５が接続されることを防止することができる。
【００３４】
また、上記実施の形態１では、携帯型端末装置５として、ノート型パソコンを例に説明したが、ＰＤＡ（ＰＥＲＳＯＮＡＬ  ＤＩＧＩＴＡＬ  ＡＳＳＩＳＵＴＡＮＴ）やスマートフォン等であってもよい。
【００３５】
また、上記実施の形態１では、ホストコンピュータ７を備えた通行管理装置の構成について説明したが、ホストコンピュータを備えない通行管理装置であってもよい。
【００３６】
また、上記実施の形態１では、携帯型端末装置５が有する報知部として、画像を表示することにより作業者に報知するための表示部を例に説明したが、アナウンスを行うことにより作業者に報知するためのスピーカであってもよい。この場合、携帯型端末装置５は、ＩＤコントローラ４から出入口開閉検出装置２の検出結果や電気錠１の位置情報を受信して、スピーカが出入口開閉検出装置２の検出結果や電気錠１の位置情報をアナウンスする。これにより、保守点検を行う作業者は、携帯型端末装置５を操作して電気錠１を変位させる前に、出入口の開閉状態や電気錠１の施開錠状態を確認することができる。また、携帯型端末装置５が有する報知部として、表示部およびスピーカの両方を含む構成であってもよい。
【００３７】
また、上記実施の形態１では、電気錠１の動作の目視確認として、電気錠１の機械的な動作である電気錠１の変位を目視確認する例について説明したが、これに加えて、電気錠１の電気的な動作を目視確認するようにしてもよい。この場合、例えば、カードリーダ３等に、電気錠１の状態を表示するＬＥＤ等の表示部が設けられ、携帯型端末装置５は、携帯型端末装置５を操作する作業者がこの表示部を目視することができる領域に配置される。これにより、作業者は、カードリーダ３の表示部から電気錠１の電気的な動作を目視確認することができる。
【符号の説明】
【００３８】
１  電気錠、２  出入口開閉検出装置、３  カードリーダ（通行者情報入力装置）、４  ＩＤコントローラ（電気錠制御装置）、５  携帯型端末装置、６  通信装置、７  ホストコンピュータ、３１  カードリーダ本体、３２  カードリーダカバー、６１  ＬＡＮソケット。
【図１】
2012207479.tif 000003
【図２】
2012207479.tif 000004
【図３】
2012207479.tif 000005